(57)【特許請求の範囲】
【請求項１】
横方向に沿って地中に埋設された排水管と、
排水管の上部に、軸方向に適当な間隔をあけてそれぞれの下端部が接続されるように、それぞれが縦方向に沿って配置されており、地表に据え付けられる便器と連結され得るように、上端面がそれぞれ地表に開口している複数の縦管と、
前記排水管の一方の端部が接続されたマンホールと、
このマンホールと既設の下水管とを連結する流出管と、
前記排水管の内部に流体が貯留されるように排水管の端部を開閉し得るように配置されており、排水管の端部が開放されることによって排水管内の流体をマンホール内に流出させるようになった貯水ゲートと、
を具備することを特徴とする仮設トイレ用配管構造。
【請求項２】
前記排水管には、いずれかの縦管を通して水が貯留される請求項１に記載の仮設トイレ用配管構造。
【請求項３】
前記排水管は、マンホールの周面を貫通する円筒状の継手本体を有するマンホール継手によってマンホールに接続されており、
この継手本体のマンホール内に位置する端部に貯水ゲートが設けられている請求項１に記載の仮設トイレ用配管構造。
【請求項４】
前記貯水ゲートは、前記排水管に貯留された流体が所定の水位以上になると、マンホール内にオーバーフローするようになっている請求項１に記載の仮設トイレ用配管構造。
【請求項５】
前記排水管に水を供給する組立式貯水タンクが設けられている請求項１に記載の仮設トイレ用配管構造。
【請求項６】
前記組立式貯水タンクは、貯水された水を排水管に供給するための貯水タンクであって、水を貯水する貯水袋と、貯水袋を収納する筐体とからなり、該筐体が、多角形状の底板と、蝶番構造によってそれぞれ回動可能に接合され得る複数の側壁板とからなり、底板と側壁板とが着脱自在に係止されている請求項５に記載の仮設トイレ用配管構造。
【発明の詳細な説明】
【０００１】
【発明の属する技術分野】
本発明は、例えば、地震等の災害が発生したときに避難場所となる区域に予め設置されることによって、災害が発生した際に便器が据え付けられることにより仮設トイレとされる仮設トイレ用配管構造及び組立式貯水タンクに関する。
【０００２】
【従来の技術】
地震等の災害が発生すると、多数の人々が避難場所に避難して生活する必要が生じることがある。このような場合、災害によって給水設備が破損したような場合には、水洗トイレ内の汚物を、洗浄水とともに下水道に流すことができなくなる。このために、多量に発生する汚物は、焼却設備等に輸送して処理しなければならない。
【０００３】
【発明が解決しようとする課題】
しかしながら、地震等の災害によっては、交通渋滞等が発生し、多量に発生する汚物を、頻繁に焼却設備に輸送することができないという問題がある。このために、汚物がトイレに堆積して、トイレが使用不能になったり、また、衛生上も問題がある。
【０００４】
本発明は、このような問題を解決するものであり、その目的は、地震等の災害が発生した場合に、汚物を確実に下水道に流すことができる仮設トイレ用配管構造及びその排水管に水を供給するのに適した組立式貯水タンクを提供することにある。
【０００５】
【課題を解決するための手段】
本発明の仮設トイレ用配管構造は、横方向に沿って地中に埋設された排水管と、排水管の上部に、軸方向に適当な間隔をあけてそれぞれの下端部が接続されるように、それぞれが縦方向に沿って配置されており、地表に据え付けられる便器と連結され得るように、上端面がそれぞれ地表に開口している複数の縦管と、前記排水管の一方の端部が接続されたマンホールと、このマンホールと既設の下水管とを連結する流出管と、前記排水管の内部に流体が貯留されるように排水管の端部を開閉し得るように配置されており、排水管の端部を開放されることによって排水管内の流体をマンホール内に流出させるようになった貯水ゲートと、を具備することを特徴とする。
【０００６】
前記排水管には、いずれかの縦管を通して水が貯留される。
前記排水管は、マンホールの周面を貫通する円筒状の継手本体を有するマンホール継手によってマンホールに接続されており、この継手本体のマンホール内に位置する端部に貯水ゲートが設けられている。
【０００７】
前記貯水ゲートは、前記排水管に貯留された流体が所定の水位以上になると、マンホール内にオーバーフローするようになっている。
【０００８】
本発明の仮設トイレ用配管には、前記排水管に水を供給する組立式貯水タンクが設けられているのが好ましい。
【０００９】
本発明の貯水タンクは、貯水された水を排水管に供給するための貯水タンクであって、水を貯水する貯水袋と、貯水袋を収納する筐体とからなり、該筐体が、多角形状の底板と、蝶番構造によってそれぞれ回動可能に接合され得る複数の側壁板とからなり、底板と側壁板とが着脱自在に係止されていることを特徴とする。
【００１０】
上記貯水袋の材質は特に限定されないが、コンパクト収納時に収納できるように、軟質の熱可塑性樹脂のものが好ましい（例えば、ダイニック社製；商品名「ＥＳターポリンシート＃８５」）。
【００１１】
上記筐体の材質は特に限定されず、貯水袋中に貯水された水によって破損、変形されない程度の強度があるものであれば特に限定されないが、軽量で且つ機械的強度の高いＦＲＰ製のものが好ましい。
【００１２】
本発明の貯水タンクは、本発明の仮設トイレ用配管に好適に使用される。
【００１３】
【発明の実施の形態】
以下、本発明の実施の形態を、図面に基づいて詳細に説明する。
【００１４】
図１は、本発明の仮設トイレ用配管構造の実施の形態の一例を示す構成図である。この仮設トイレ用配管構造は、地震等の災害が発生した際の特定避難地と指定された学校等の避難区域の地中、特に、生活用水を確保しやすい学校施設内のプール近傍の地中に予め埋設される。本発明の仮設トイレ用配管構造は、マンホール１０に一方の端部が接続されて、水平に対して所定の勾配を有する傾斜状態で横方向に沿って地中に埋設された排水管２０と、この排水管２０の軸方向に適当な間隔をあけてそれぞれの下端部が接続されるように、それぞれが縦方向に沿って地中に埋設された複数の縦管３０とを有している。
【００１５】
排水管２０は、例えば、上部周面の曲率半径が下部周面の曲率半径よりも大きくなった断面卵形状の合成樹脂管によって構成された排水本管２１を有している。排水本管２１の一方の端部は、マンホール１０の下部周面に取り付けられたマンホール継手１１によって、マンホール１０に接続されている。マンホール１０には、排水本管２１が接続された周面に対向した周面の下部に、既設の下水管に接続された流出管１２が接続されている。
【００１６】
マンホール１０の遠方側に位置する排水本管２１の他方の端部には、受け口２１ａが設けられており、この受け口２１ａに、排水本管２１と同様の断面卵形状になった合成樹脂製の接続管２２が接続されている。接続管２２における排水本管２１と接続された端部とは反板側の端面は、閉塞されている。
【００１７】
排水管２０における排水本管２１のマンホール１０に近接した端部には、貯水ゲート２５が設けられている。この貯水ゲート２５は、排水本管２１の内径の半分程度の上下方向長さの平板状に構成されたゲート本体２５ａを有しており、このゲート本体２５ａが排水本管２１の内部を上下方向にスライドし得るように配置されている。ゲート本体２５ａの上部には、垂直に配置された操作ロッド２５ｂの下端部が接続されており、この操作ロッド２５ｂの上端部は、排水本管２１の上部周面を貫通して地表から上方に延出している。そして、地表から延出した操作ロッド２５ｂの上部にはハンドル２５ｃが設けられており、このハンドル２５ｃを回転操作することによって、または上下方向にスライド操作することによって、ゲート本体２５ａが上下方向にスライドされるようになっている。
【００１８】
ゲート本体２５ａは、最も下方にスライドした状態では、排水本管２１の下部を閉塞しているが、排水本管２１の上部には空間が形成されている。そして、操作ロッド２５ｂの操作によって、ゲート本体２５ａが上方にスライドされると、排水本管２１の下部が開放される。
【００１９】
排水本管２１の上部周面には、軸方向に適当な間隔をあけて、５本の管継手２３が、それぞれ、排水本管２１の内部と連通した状態で設けられており、各管継手２３に、垂直状態に配置された５本の縦管３０における立ち上がり本管３１の下端部が、例えば、９０度にわたって回動可能な状態でそれぞれ接続されている。また、排水管２０に接続された接続管２２の上部周面にも、管継手２４が接続管２２の内部と連通した状態で設けられており、この管継手２４にも、垂直状態に配置された１本の縦管３０における立ち上がり本管３１の下端部が、９０度にわたって回動可能な状態で接続されている。
【００２０】
各立ち上がり本管３１の上端面は、それぞれ、地表から若干下方に位置しており、各立ち上がり管３１の上端部には、円筒状の絞り管３２がそれぞれ取り付けられている。各絞り管３２は、それぞれの上端部が、各立ち上がり本管３１の口径よりも小さくなっており、各絞り管３２の上端面が、それぞれ地表に開口した状態になっている。各立ち上がり本管３１に取り付けられた絞り管３２には、円筒状に構成された鋼製の支持部材３３が嵌合状態になるように地中に埋設されている。各支持部材３３の下端部には、外方に広がったフランジ３３ａが設けられている。各支持部材３３の上端面は、それぞれ地表に開口した状態になっており、その開口した上端面が、鋼製の蓋体３４によって、それぞれ着脱可能に覆われている。従って、各蓋体３４を取り除いて各支持部材３３の上端面を開放することによって、各絞り管３２の上端面が地表に開口された状態になる。
【００２１】
このような構成の仮設トイレ用配管は、地震等の災害が発生した際に、各縦管３０の上端部に嵌合された支持部材３３の上端面を覆う蓋体３４がそれぞれ取り外されて、各縦管３０の上端部に設けられたそれぞれの絞り管３２の上端面が地表に開口された状態とする。そして、排水管２０における排水本管２１に接続された５本の縦管３０の地表に開口した上端面に対向するように、地表に５つの洋式便器４１がそれぞれ据え付けられる。各洋式便器４１は、地中に埋設された円筒状の支持部材３３上に配置されて、地表にアンカー材４３によって固定された平板状の固定部材４２によって、それぞれ地表に据え付けられる。そして、各洋式便器４１毎に個室４４ａが形成されるように仮設小屋４４が地表に設置される。
【００２２】
他方、排水管２０におけるマンホール１０の遠方側に位置する接続管２２に接続された縦管３０の近傍の地表には、例えば１０００リットルの貯水量を有する貯水タンク４５が設置され、この貯水タンク４５内に、プール等に予め貯水された水が、手動操作ポンプによって、あるいはエンジンポンプによって供給される。そして、その縦管３０における地表に開口した絞り管３２の上端面には、貯水タンク４５内の水が、注水口４５ａから供給される。この場合、排水管２０における排水本管２１のマンホール１０近傍に設けられた貯水ゲート２５のゲート本体２５ａは、下方にスライドされて、排水本管２１の下部がゲート本体２５ａにて遮蔽された状態になっている。従って、貯水タンク４５からの排水本管２１内に供給される水は、排水本管２１におけるゲート本体２５ａの上端面まで貯留され、余剰の水が、ゲート本体２５ａの上端面をオーバーフローしてマンホール１０内に流入する。
【００２３】
このような状態になると、各洋式便器４１は使用可能になり、各洋式便器４１内に投入された汚物は、各絞り管３２および立ち上がり本管３１を通って、適当な勾配で傾斜した排水本管２１内に落下し、排水本管２１内に貯留された水内に投入される。そして、排水本管２１内の水とともに貯留される。この場合、排水本管２１は、水平に対して適当な勾配を有しているために、排水本管２１内に貯留される汚物は水とともにマンホール１０側に流れる。そして、貯水ゲート２５におけるゲート本体２５ａの上端面からオーバーフローして、マンホール１０内に流入する。従って、排水本管２１内には、常時、ゲート本体２５ａの上端面のレベルに、汚物が水とともに貯留される。
【００２４】
このようにして、排水本管２１内には、所定の水位になった水とともに汚物が貯留されるが、１日に１〜２回程度、適当な時間間隔をあけて、貯水ゲート２５の操作ハンドル２５ｃが操作されて、ゲート本体２５ａが上方にスライドされる。これにより、排水本管２１における下部が開放された状態になり、排水本管２１内に貯留された汚物および水の流体はマンホール１０内に流入する。排水本管２１は、適当な勾配で傾斜しているために、排水本管２１内の汚物は、水とともにマンホール１０内に円滑に流入し、排水本管２１内にて滞留するおそれがない。マンホール１０内に流入した汚物は、水とともに流出管１２内に流入して、既設の下水管内へ流出される。
【００２５】
本実施の形態の仮設トイレ用配管構造では、各縦管３０の各立ち上がり管３１が、排水本管２１の上部周面に設けられた管継手２３によって９０度にわたって回動し得るようになっているために、地震等によって破損するおそれがない。
【００２６】
なお、排水本管２１の口径および長さ、縦管３０の本数、貯水タンク４５の容量等は、本発明の仮設トイレ用配管構造が設置される避難場所に避難する予定になっている人の数に基づいて、適宜設定される。
【００２７】
図２は、本発明の仮設トイレ用配管構造の実施の形態の他の例を示す構成図である。この仮設トイレ用配管構造では、マンホール１０に接続された排水管５０は、例えば、それぞれの長さが１２００ｍｍになった６本の排水本管５１を連続的に接続して構成されている。各排水本管５１は、例えば、一方の端部に受け口５１ａがそれぞれ設けられた呼び径４５０ｍｍの塩化ビニル管によってそれぞれ構成されており、全ての排水本管５１が、受け口５１ａを同方向に配置した状態で、直線状に連結されている。マンホール１０に近接して配置された排水本管５１は、マンホール１０の周面に設けられたマンホール継手７０によって、マンホール１０の内部に連通した状態で水平に接続されている。このマンホール１０に接続された水平な排水本管５１の受け口５１ａには、他の排水本管５１が、例えば、２６．２‰の勾配で、マンホール１０の遠方側の端部が上側に位置するように傾斜した状態で接続されている。そして、傾斜した排水本管５１の受け口５１ａに、さらに他の排水本管５１が、同様の傾斜状態になるように同心状態で接続され、同様にして他の３本の排水本管５１が連続的に接続されている。従って、マンホール１０に接続された水平な排水本管５１に、それぞれ同様の傾斜状態になった４本の排水本管５１が連続して同心状態で接続されている。
【００２８】
マンホール１０に対して最も遠方側に位置する排水本管５１は、所定の勾配で傾斜した隣接する排水本管５１よりも小さな１７．５‰の勾配で傾斜した状態で接続されている。
【００２９】
各排水本管５１の上部周面には、管継手５３がそれぞれ設けられており、各管継手５３に、縦管６０をそれぞれ構成する下側立ち上がり管６１の下端部が、各排水本管５１の内部と連通した状態で、９０度にわたって回動可能にそれぞれ接続されている。各立ち上がり管６１の上端部には、伸縮継手６２が接続されており、この伸縮継手６２に、上側立ち上がり管６３が垂直状態で接続されている。上側立ち上がり管６３は、下側立ち上がり管６２に対して、伸縮継手６２によって上下方向への伸縮可能な状態になっている。
【００３０】
上側立ち上がり管６３の上端面は、地表よりも若干下方に位置しており、この上側立ち上がり管６３の上端部に、円筒状をした鋼製の支持部材６４が、それぞれ、地表に埋設した状態で嵌合されている。各上側立ち上がり管６３の上端面は、それぞれ、各支持部材６４内に位置されており、その上端面が、着脱可能になった内蓋６５によってそれぞれ覆われている。各支持部材６４の上端面は、それぞれ、地表に開口した状態になっており、地表に開口した各上端面が、着脱可能になつた外蓋６６によってそれぞれ覆われている。各支持部材６４の下端部には、フランジ部６４ａが設けられている。
【００３１】
図３は、マンホール１０の縦断面図である。マンホール１０の下部周面には、排水管５０における排水本管５１が接続されるマンホール継手７０が取り付けられている。図４は、そのマンホール１０に取り付けられたマンホール継手７０の一部破断平面図である。このマンホール継手７０は、マンホール１０の周面に設けられた貫通孔を貫通する円筒状の継手本体７１と、マンホール１０の外周面に沿って湾曲した支持板７２とを有している。支持板７２は、マンホール１０の外周面に取り付けられており、その中心部を継手本体７１が挿通している。継手本体７１における支持板７２の外側の端部には、全周にわたって外方に突出する溝部７１ａが設けられており、この溝部７１ａの内部に、パッキン７３が設けられている。
【００３２】
排水本管５１は、受け口５１ａが設けられていない端部が、マンホール継手７０における継手本体７１内に挿入されて、パッキン７３によって、継手本体７１に対して水密状態で水平に支持されている。
【００３３】
マンホール継手７０における継手本体７１のマンホール１０内に位置する端面は、マンホール１０の軸心線上に位置しており、この継手本体７１の端部に、貯水ゲート８０が設けられている。図５（ａ）は、図３における矢印Ａで示す方向から見た貯水ゲート８０の正面図、図５（ｂ）は、貯水ゲート８０の側面図、図５（ｃ）は、貯水ゲート８０の背面図である。貯水ゲート８０は、例えば、一対のステンレス製の山形鋼を突き合わせて構成された枠体８１と、この枠体８１に対して上下方向へのスライド可能に支持された平板状のゲート本体８２とを有している。
【００３４】
枠体８１は、下端部が下方に突出するように円弧状に湾曲して左右の各側部がそれぞれ垂直になったＵ字状の一対の縦枠材８１ａと、これら一対の縦枠材８１ａの左右の各側部の上端部間に水平に架設された一対の水平枠材８１ｂとを有している。各縦枠材８１ａは、全周にわたって帯板状のゴム材８１ｃを介在させた状態で、ボルトおよびナットによって構成された複数の締結具８１ｄによって一体的に固定されており、従って、各縦枠材８１ａの間には、ゴム材８１ｃの厚さに等しい間隔が形成されている。各水平枠材８１ｂは、各縦枠材８１ａの上端部外側面にそれぞれ取り付けられている。
【００３５】
背面側に位置する一方の縦枠材８１ａには、下端部の円弧状に沿った部分と同心状の円筒形状になった嵌合部８４が取り付けられており、この嵌合部８４内に、マンホール１０の周面に取り付けられたマンホール継手７０の継手本体７１が嵌入されている。
【００３６】
垂直に配置された平板状のゲート本体８２は、外周縁部が、枠体８１と同様の形状に構成されており、その下端部は、各縦枠材８１ａと同様に下方に円弧状に突出している。ゲート本体部８２は、一対の縦枠材８１ａの間に上下方向へのスライド可能に挿入されており、また、ゲート本体８２の上端部は、各水平枠材８１ｂの上端面よりも上方に突出している。
【００３７】
ゲート本体８２の上部には、四角形状の開口部８２ａが設けられている。この開口部８２ａの下部は、嵌合部８４の上部と重なった状態になっており、また、開口部８２ａの下側側縁は、中心側になるにつれて順次下側になるように谷状に傾斜している。ゲート本体８２における上下方向中程の下部には、左右一対のストッパー８５が設けられている。各ストッパー８５は、ゲート本体８２にネジ込まれたボルトによってそれぞれ構成されており、ゲート本体８２が上方にスライドした際に、枠体８１の水平枠材８１ｂに当接して、ゲート本体８２の上方へのスライドが規制されるようになっている。
【００３８】
ゲート本体８２の上端部には、垂直になった操作ロッド８６の下端部が取り付けられている。操作ロッド８６は、マンホール１０の軸心部に沿って配置されており、その上端部は、マンホール１０の上端面に設けられた開口部１０ａ内に位置している。操作ロッド８６の上端部には、水平な操作ハンドル８７が取り付けられている。マンホール１０の上端面に設けられた開口部１０ａは、着脱可能になった蓋体１０ｂによって閉塞されている。
【００３９】
このような構成の仮設トイレ用配管構造も、前記実施の形態と同様に、地震等の災害が発生した際に、各縦管６０の上端部を覆う外蓋６６がそれぞれ取り除かれるとともに、上側立ち上がり管６３の上端面を覆う内蓋６５もそれぞれ取り除かれて、例えば、マンホール１０の遠方側に配置された排水本管５１を除く他の５本の排水本管５１に接続された５本の縦管６０の地表に開口した上端面に、洋式便器がそれぞれ設置される。そして、各洋式便器を取り囲む個室を有する仮設小屋が設置される。
【００４０】
また、マンホール１０の最も遠方側に位置する縦管６０における上側立ち上がり管６３には、貯水タンクから水が供給されるようになっている。この場合、マンホール１０内に設けられた貯水ゲート８０のゲート本体８２は、下方にスライドされており、貯水タンクから縦管６０内に供給された水は、排水本管５１の内部に貯留される。排水管５０における各排水本管５１内には、ゲート本体８２の上部に設けられた開口部８２ａの下側側縁部の水位にまで水が貯留される。
【００４１】
このような状態になると、各洋式便器は使用可能になり、各洋式便器内に投入された汚物は、各縦管６０を通って、排水管５０内に落下し、排水管５０内にて水とともに貯留される。この場合、排水管５０内に貯留される水の水位が、貯水ゲート８０に設けられたゲート本体８２の開口部８２ａにおける下側の側縁部よりも高くなると、排水管５０内の水は、汚物とともに、開口部８２ａを通ってマンホール１０内にオーバーフローする。従って、排水管５０内には、常時、ゲート本体８２に設けられた開口部８２ａの下側の側縁部と同様の水位に水が貯留される。
【００４２】
マンホール１０内に設けられた貯水ゲート８０は、通常、１日に１〜２回程度にわたって操作される。貯水ゲート８０を操作する場合には、マンホール１０の開口部１０ａを閉塞する蓋体１０ｂが取り除かれて、開口部１０ａが開放され、開口部１０ａの下方に位置する操作ハンドル８７が上下方向に操作される。これにより、ゲート本体８２が枠体８１に対して上方にスライドし、枠体８１の下方が開放された状態になり、排水管５０内に貯留された水が汚物とともにマンホール１０内に流入する。そして、マンホール１０内に流入した汚物および水は、マンホール１０に接続された流出管１２を通って、既設の下水管に排出される。
【００４３】
本実施の形態では、貯水ゲート８０に設けられたゲート本体８２の開口部８２ａにおける下側側縁のレベルは、マンホール１０に水平に接続された排水本管５１の内径の８０％の水位になるように設定されており、また、マンホール１０の遠方側に位置する排水本管５１内に貯留される水の水位が、その排水管５１の内径の５０％になるように、各排水本管５１の勾配が設定されている。その結果、排水本管５１内に投下される汚物によって排水管５０の内部が詰まるおそれがなく、しかも、貯水ゲート８０におけるゲート本体８２を開放することによって、排水管５０内の汚物を水とともにマンホール１０内に円滑に流下させることができる。
【００４４】
また、本実施の形態の仮設トイレ用配管構造では、縦管６０の各下側立ち上がり管６１が、排水本管５１の上部周面に設けられた管継手５３によって９０度にわたって回動し得るようになるとともに、伸縮継手６２によって、下側立ち上がり管６１および上側立ち上がり管６３が、上下方向に伸縮し得るようになっているために、地震等によって破損するおそれがない。
【００４５】
なお、貯水ゲートのゲート本体は、上下方向にスライドすることによって、排水管の端部を開閉させる構成に限らず、例えば、横方向へスライドすることによって、あるいは上下方向に回動されることによって、排水管の端部を開閉させるようになっていてもよい。ゲート本体は、操作ロッドを直接、上下方向にスライドさせる構成に限らず、ハンドルの回転力によって操作ロッドを上下方向にスライドさせるようにしてもよい。
【００４６】
図６は本発明の組立式貯水タンクを示す斜視図である。
本発明の組立式貯水は、水を貯水する貯水袋４７と、貯水袋４７を収納する筐体４６とからなる。
筐体４６は正方形の底板と、蝶番構造によってそれぞれ回動可能に接合され得る４枚の側壁板とからなる。
【００４７】
図７は図６の組立式貯水タンクに使用される底板を示す平面図である。
である。
図７に示すように、底板４５５は１×１ｍの正方形とされ、その外周は、ステンレス鋼製の補強枠４５６で補強されている。
補強枠４５６には各辺に二つずつ側壁板支持板４９１が設けられ、側壁板支持板４９１にはそれぞれ側壁板位置決めピン（以下、単に「位置決めピン」という）４９２が立設されている。
【００４８】
図８は図６の組立式貯水タンクに使用される第１の側壁板を示す側面図である。
図８に示すように、第１の側壁板４５１は１×１ｍの正方形とされ、その外周は、ステンレス鋼製の補強枠４５６で補強されている。
補強枠４５６の下辺に二つの位置決めピン挿入孔４９３が設けられて、左辺及び右辺には抜き差し蝶番（雄）４９４が二つずつ設けられている。さらに、補強枠４５６の上辺には、三つの貯水袋固定ピン４９６が設けられている。
第１の側壁板４５１の下部には貯水袋用にバルブ取り出し口４８が設けられ、バルブ取り出し口の内側は糸面取りがなされている。
【００４９】
図９は図６の組立式貯水タンクに使用される第３の側壁板を示す側面図である。
図９に示すように、第３の側壁板４５３は１×１ｍの正方形とされ、その外周は、ステンレス鋼製の補強枠４５６で補強されている。
補強枠４５６の下辺に二つの位置決めピン挿入孔４９３が設けられて、左辺及び右辺には抜き差し蝶番（雌）４９５が二つずつ設けられている。さらに、補強枠４５６の上辺には、三つの貯水袋固定ピン４９６が設けられている。
【００５０】
図１０〜図１２は図６の組立式貯水タンクを組み立てる工程を示す斜視図である。
図１０に示すように、底板４５５の位置決めピン４９２を第１の側壁板４５１のピン挿入孔４９３に挿入する。
【００５１】
次いで、図１１に示すように第２の側壁板４５２（バルブ取り出し口４８がないこと以外は第１の側壁板４５１と同様）、第３の側壁板４５３のピン挿入孔４９３に底板４５５の位置決めピン４９２を挿入し、第１の側壁板４５１及び第１の側壁板４５２の抜き差し蝶番（雄）４９４を第３の側壁板４５３の抜き差し蝶番（雌）４９５に挿入する。
【００５２】
そして、塩化ビニル樹脂製のバルブ４７２と貯水袋固定ピン挿入穴４７１を有する貯水袋４７を収容し、図１２に示すようにバルブ４７２をバルブ取り出し口４８から外側へ取り出し、第４の側壁板４５４（第２の側壁板４５２と同一形状）のピン挿入孔４９３に底板４５５の位置決めピン４９２を挿入し、第１の側壁板４５１及び第１の側壁板４５２の抜き差し蝶番（雄）４９４を第４の側壁板４５３の抜き差し蝶番（雌）４９５に挿入する。
【００５３】
最後に、貯水袋固定ピン挿入穴４７１に貯水袋固定ピン４９６を挿入し、組立式貯水タンクが完成する。
【００５４】
【発明の効果】
本発明の仮設トイレ用配管構造は、このように、マンホールに一方の端部が接続されて地中に埋設された排水管に対して、複数の縦管が縦方向に沿ってそれぞれ接続されているとともに、排水管内に流体が貯留されるように、貯水ゲートが設けられているために、各縦管に対して便器を据え付けることによって仮設トイレが容易に構成される。しかも、排水管内に水を貯留して、貯水ゲートを開放することによって、排水管内に貯留される汚物を、マンホールから既設の下水管に排出することができるために、汚物の汲み取り、輸送等の必要がなく、衛生的である。
【００５５】
本発明の貯水タンクは、貯水された水を排水管に供給するための貯水タンクであって、水を貯水する貯水袋と、貯水袋を収納する筐体とからなり、該筐体が、多角形状の底板と、蝶番構造によってそれぞれ回動可能に接合され得る複数の側壁板とからなり、底板と側壁板とが着脱自在に係止されているので、平常時には解体した状態で備蓄することにより、備蓄に必要なスペースが少なくて済む。
さらに、備蓄倉庫が避難場所から離れている場合でも容易に運搬でき、かつボルト等を使用していないため、工具を準備する必要もなく誰でも簡単に組み立てることができる。
【図面の簡単な説明】
【図１】本発明の仮設トイレ用配管の実施の形態の一例を示す構成図である。
【図２】本発明の仮設トイレ用配管の実施の形態の他の例を示す構成図である。
【図３】その仮設トイレ用配管に使用されるマンホールの縦断面図である。
【図４】そのマンホールに取り付けられたマンホール継手の一部破断平面図である。
【図５】（ａ）は、そのマンホール内に設けられた貯水ゲートの図４における矢印Ａで示す方向の正面図、（ｂ）は、その側面図、（ｃ）は、その背面図である。
【図６】本発明の組立式貯水タンクを示す斜視図である。
【図７】図６の組立式貯水タンクに使用される底板を示す平面図である。である。
【図８】図６の組立式貯水タンクに使用される第１の側壁板を示す側面図である。
【図９】図６の組立式貯水タンクに使用される第３の側壁板を示す側面図である。
【図１０】図６の組立式貯水タンクを組み立てる工程を示す斜視図である。
【図１１】図６の組立式貯水タンクを組み立てる工程を示す斜視図である。
【図１２】図６の組立式貯水タンクを組み立てる工程を示す斜視図である。
【符号の説明】
１０  マンホール
１１  マンホール継手
１２  流出管
２０、５０  排水管
２１、５１  排水本管
２２  接続管
２３、５２    管継手
２５、８０  貯水ゲート
３０、６０  縦管
３１  立ち上がり管
３２  絞り管
３３  支持具
４１  洋式便器
４２  固定部材
４３  アンカー材
４４  仮設小屋
４５  貯水タンク
４５１、４５２、４５３、４５４  側壁板
４５５  底板
４６  筐体
４７  貯水袋
４９４、４９５  蝶番
６２  伸縮継手
６３  上側立ち上がり管
７０  マンホール継手
７１  継手本体
８１  枠体
８２  ゲート本体
【図１】
0004104197.tif 000002
【図２】
0004104197.tif 000003
【図３】
0004104197.tif 000004
【図４】
0004104197.tif 000005
【図５】
0004104197.tif 000006
【図６】
0004104197.tif 000007
【図７】
0004104197.tif 000008
【図８】
0004104197.tif 000009
【図９】
0004104197.tif 000010
【図１０】
0004104197.tif 000011
【図１１】
0004104197.tif 000012
【図１２】
0004104197.tif 000013